(57)【要約】【課題】複数の異なる通信システムから構成されるヘテロジーニアスな通信ネットワークにおいて、ネットワーク全体として、無線リソースを最適化可能な通信装置及び通信方法を提供すること。【解決手段】複数の通信方式を用いて通信装置と通信を行う制御装置であって、前記複数の通信方式のうち、第１の通信方式を用いて所定の周波数帯域において電波が使用されることを示す媒体予約信号を送信した後、前記複数の通信方式のうち少なくとも１つの通信方式を用いてデータを送信する送受信部と、前記通信装置にデータを送信する無線リソースを管理し、前記電波が使用される期間を示す媒体予約期間を設定する無線リソース管理部と、を備え、前記媒体予約信号には、電波が使用される期間を示す媒体予約期間に関するフィールド含み、前記媒体予約期間は、前記通信装置にデータを送信する期間より長いことを特徴とする。【選択図】図３
2019083357.tif 000002
【特許請求の範囲】
【請求項１】
複数の通信方式を用いて、通信装置と通信を行う制御装置であって、
前記複数の通信方式のうち、第１の通信方式を用いて、所定の周波数帯域において電波が使用されることを示す媒体予約信号を送信し、前記媒体予約信号を送信した後、前記複数の通信方式のうち、少なくとも１つの通信方式を用いて、前記通信装置にデータを送信し又は前記通信装置からデータを受信する送受信部と、
前記通信装置にデータを送信し又は前記通信装置からデータを受信する周波数及び時間において無線リソースを管理し、前記電波が使用される期間を示す媒体予約期間を設定する無線リソース管理部と、を備え、
前記媒体予約信号には、電波が使用される期間を示す媒体予約期間に関するフィールド含み、
前記媒体予約期間は、前記通信装置にデータを送信又は受信する期間より長い期間が設定されることを特徴とする制御装置。
【請求項２】
前記送受信部は、第１の通信方式と異なる通信方式を用いて、前記通信装置にデータを送信し又は前記通信装置からデータを受信することを特徴とする請求項１に記載の制御装置。
【請求項３】
前記送受信部は、前記複数の通信方式のうち、少なくとも１つの通信方式を用いて複数の通信装置にデータを送信し又は複数の通信装置からデータを受信し、
前記無線リソース管理部は、前記前記複数の通信装置に時間分割多重により無線リソースを割り当て、
前記媒体予約期間は、２つ以上の通信方式を用いて前記通信装置にデータを送信し又は前記通信装置からデータを受信する期間より長いこと、を特徴とする請求項１又は請求項２に記載の制御装置。
【請求項４】
前記送受信部は、２つ以上の通信方式を用いて、前記通信装置にデータを送信し又は前記通信装置からデータを受信し、
前記無線リソース管理部は、前記２つ以上の通信方式を時間分割多重により無線リソースを割り当て、
前記媒体予約期間は、２つ以上の通信方式を用いて前記通信装置にデータを送信し又は前記通信装置からデータを受信する期間より長いこと、を特徴とする請求項１乃至請求項３に記載の制御装置。
【請求項５】
前記送受信部は、重複する周波数帯域を用いて、前記通信装置にデータを送信し又は前記通信装置からデータを受信することを特徴とする請求項１乃至請求項４に記載の制御装置。
【請求項６】
前記送受信部は、アンライセンスバンドにおいて、重複する周波数帯を用いて、前記通信装置にデータを送信し又は前記通信装置からデータを受信し、
前記複数の通信方式には、同時にアンライセンスバンド及びライセンスバンドを用いてデータを送信又は受信する第２の通信方式を含み、
前記第２の通信方式を用いて、前記通信装置にデータを送信し又は前記通信装置からデータを受信する場合に、前記媒体予約信号を送信すること、を特徴とする請求項１乃至請求項５に記載の制御装置。
【請求項７】
前記送受信部は、複数の通信方式を用いて、基地局装置にデータを送信し又は基地局装置からデータを受信し、
前記無線リソース管理部は、前記通信装置との接続に際し、前記基地局装置との接続に
用いた通信方式と同一の通信方式を選択することを特徴とする請求項１乃至請求項６に記載の制御装置。
【請求項８】
前記無線リソース管理部は、一定の媒体予約期間を設定し、
前記無線リソース管理部は、前記媒体予約期間を超えない少なくとも１つの通信方式の組合せを設定し、
前記送受信部は、選択した通信方式を用いて、前記通信装置にデータを送信し又は前記通信装置からデータを受信すること、を特徴とする請求項１乃至請求項７に記載の制御装置。
【請求項９】
複数の通信方式を用いて、通信装置と通信を行う制御装置の通信方法であって、
前記複数の通信方式のうち、第１の通信方式を用いて、所定の周波数帯域において電波が使用されることを示す媒体予約信号を送信し、前記媒体予約信号を送信した後、前記複数の通信方式のうち、少なくとも１つの通信方式を用いて、前記通信装置にデータを送信し又は前記通信装置からデータを受信する送受信ステップと、
前記通信装置にデータを送信し又は前記通信装置からデータを受信する周波数及び時間において無線リソースを管理し、前記電波が使用される期間を示す媒体予約期間を設定する無線リソース管理ステップと、を有し、
前記媒体予約信号には、電波が使用される期間を示す媒体予約期間に関するフィールド含み、
前記媒体予約期間は、前記通信装置にデータを送信又は受信する期間より長い期間が設定されることを特徴とする通信方法。
【請求項１０】
複数の通信方式を用いて、通信装置と通信を行う制御装置を含む通信システムであって、
前記制御装置は、前記複数の通信方式のうち、第１の通信方式を用いて、所定の周波数帯域において電波が使用されることを示す媒体予約信号を送信し、前記媒体予約信号を送信した後、前記複数の通信方式のうち、少なくとも１つの通信方式を用いて、前記通信装置にデータを送信し又は前記通信装置からデータを受信する送受信部と、
前記通信装置にデータを送信し又は前記通信装置からデータを受信する周波数及び時間において無線リソースを管理し、前記電波が使用される期間を示す媒体予約期間を設定する無線リソース管理部と、を備え、
前記通信装置は、前記媒体予約信号を受信した後、前記複数の通信方式のうち、少なくとも１つの通信方式を用いて、前記制御装置にデータを送信し又は前記制御装置からデータを受信する送受信部と、を備え、
前記媒体予約信号には、電波が使用される期間を示す媒体予約期間に関するフィールド含み、
前記媒体予約期間は、前記通信装置にデータを送信又は受信する期間より長い期間が設定されることを特徴とする通信システム。
【発明の詳細な説明】
【技術分野】
【０００１】
本発明は、制御装置、通信装置および通信方法に関する。
【背景技術】
【０００２】
ＩＥＥＥ８０２．１１ｂ、ｇ、ｎ、などのＷｉＦｉ(登録商標)と呼ばれる無線ＬＡＮ、Ｂｌｕｅｔｏｏｔｈ（登録商標）、ＢＬＥ（Bluetooth Low Energy）の近距離無線通信などの異なる無線通信システム（無線通信方式）を用いて、ヘテロジーニアスな通信ネットワークが構築される（非特許文献１、非特許文献２、非特許文献３）。ヘテロジーニアスな通信ネットワークには、スマートフォン等の情報端末やセンサ等の多数の機器が接続される。ヘテロジーニアスな通信ネットワークでは、送信距離、消費電力等を考慮して、その用途に応じて、最適な無線通信システムが適用される。
【０００３】
これらの無線通信システムは、アンライセンスバンド等の同一の周波数帯域が用いられる場合がある。例えば、無線ＬＡＮ、Ｂｌｕｅｔｏｏｔｈ（ＢＬＥを含む）は共に、２．４ＧＨｚのＩＳＭバンド（Industry Science Medical Band）を用いることができる。こ
のため、これらの無線通信システムを搭載した機器は、相互に干渉を受ける。ＢｌｕｅｔｏｏｔｈやＢＬＥでは、干渉を軽減するために、適応型周波数ホッピングＡＦＨ（Adaptive Frequency Hopping）が用いられる（非特許文献２）。無線ＬＡＮを搭載した機器は、フレームの衝突をできるだけ回避するために、無線チャネルの使用状況を見てからフレームを送信するかどうか決定する空きチャンネル判定（ＣＣＡ：Clear Channel Assessment）が用いられる。
【先行技術文献】
【非特許文献】
【０００４】
【非特許文献１】“3rd Generation Partnership Project Technical Specification Group Radio Access Network; Evolved Universal Terrestrial Radio Access (E-UTRA); Physical channels and modulation”  ３ＧＰＰ  ＴＳ３６．２１１  ｖ１２．３．０、２０１４年３月。
【非特許文献２】“IEEE Standard for Information technology-- Local and metropolitan area networks-- Specific requirements-- Part 11: Wireless LAN Medium Access Control (MAC) and Physical Layer (PHY) Specifications: Further Higher Data Rate Extension in the 2.4 GHz Band”  ＩＥＥＥ  Ｓｔｄ  ８０２．１１ｇ−２００３、２００３年６月
【非特許文献３】“Bluetooth SIG: Bluetooth specification version 4.2”  ２０１４年２月（https://www.bluetooth.org/ja-jp/specification/adopted-specifications）
【発明の概要】
【発明が解決しようとする課題】
【０００５】
同一の周波数帯域を用いた様々な無線通信システムが混在するヘテロジーニアスな通信ネットワークでは、各無線通信システムのための空きチャネルが周波数及び時間的に緊迫する。このような状況下において、無線通信システム各々は、使用帯域を獲得するために、独立して、ＡＦＨやＣＣＡを動作させる。このため、各無線通信システムは、周波数及び時間的に、リソースを奪い合う。例えば、無線ＬＡＮを搭載した通信機器が多数存在するエリアでは、頻繁に無線ＬＡＮが周波数チャネルを占有する。このため、Ｂｌｕｅｔｏｏｔｈ（ＢＴ）を搭載した通信機器は、通信に必要な時間が短いにも関わらず、使用帯域が獲得できない。また、Ｂｌｕｅｔｏｏｔｈの送信電力は、一般的に、無線ＬＡＮの送信
電力より小さいため、両者のパケットが衝突した場合、ＢｌｕｅｔｏｏｔｈやＢＬＥのパケットが消失する可能性が高い。この結果、そのパケットを再送信する必要が生じる。このような状況は、ヘテロジーニアスネットワーク全体として、非効率なリソースの使用となる。
【０００６】
本発明はこのような事情を鑑みてなされたものであり、その目的は、複数の異なる無線通信システムから構成されるヘテロジーニアスな通信ネットワークにおいて、周波数リソース及び時間リソースを、ネットワーク全体として、最適化することを可能とする通信装置及び通信方法を提供することにある。
【課題を解決するための手段】
【０００７】
上述した課題を解決するために本発明に係る制御装置、通信システムおよび通信方法の構成は、次の通りである。
【０００８】
（１）本発明の一態様は、複数の通信方式を用いて、通信装置と通信を行う制御装置であって、前記複数の通信方式のうち、第１の通信方式を用いて、所定の周波数帯域において電波が使用されることを示す媒体予約信号を送信し、前記媒体予約信号を送信した後、前記複数の通信方式のうち、少なくとも１つの通信方式を用いて、前記通信装置にデータを送信し又は前記通信装置からデータを受信する送受信部と、前記通信装置にデータを送信し又は前記通信装置からデータを受信する周波数及び時間において無線リソースを管理し、前記電波が使用される期間を示す媒体予約期間を設定する無線リソース管理部と、を備え、前記媒体予約信号には、電波が使用される期間を示す媒体予約期間に関するフィールド含み、前記媒体予約期間は、前記通信装置にデータを送信又は受信する期間より長い期間が設定されることを特徴とする。
【０００９】
（２）また、本発明の一態様は、前記送受信部は、第１の通信方式と異なる通信方式を用いて、前記通信装置にデータを送信し又は前記通信装置からデータを受信することを特徴とする。
【００１０】
（３）また、本発明の一態様は、前記送受信部は、前記複数の通信方式のうち、少なくとも１つの通信方式を用いて複数の通信装置にデータを送信し又は複数の通信装置からデータを受信し、前記無線リソース管理部は、前記前記複数の通信装置に時間分割多重により無線リソースを割り当て、前記媒体予約期間は、２つ以上の通信方式を用いて前記通信装置にデータを送信し又は前記通信装置からデータを受信する期間より長いことを特徴とする。
【００１１】
（４）また、本発明の一態様は、前記送受信部は、２つ以上の通信方式を用いて、前記通信装置にデータを送信し又は前記通信装置からデータを受信し、前記無線リソース管理部は、前記２つ以上の通信方式を時間分割多重により無線リソースを割り当て、前記媒体予約期間は、２つ以上の通信方式を用いて前記通信装置にデータを送信し又は前記通信装置からデータを受信する期間より長いことを特徴とする。
【００１２】
（５）また、本発明の一態様は、前記送受信部は、重複する周波数帯域を用いて、前記通信装置にデータを送信し又は前記通信装置からデータを受信することを特徴とする。
【００１３】
（６）また、本発明の一態様は、前記送受信部は、アンライセンスバンドにおいて、重複する周波数帯を用いて、前記通信装置にデータを送信し又は前記通信装置からデータを受信し、前記複数の通信方式には、同時にアンライセンスバンド及びライセンスバンドを用いてデータを送信又は受信する第２の通信方式を含み、前記第２の通信方式を用いて、
前記通信装置にデータを送信し又は前記通信装置からデータを受信する場合に、前記媒体予約信号を送信することを特徴とする。
【００１４】
（７）また、本発明の一態様は、前記送受信部は、複数の通信方式を用いて、基地局装置にデータを送信し又は基地局装置からデータを受信し、前記無線リソース管理部は、前記通信装置との接続に際し、前記基地局装置との接続に用いた通信方式と同一の通信方式を選択することを特徴とする。
【００１５】
（８）また、本発明の一態様は、前記無線リソース管理部は、一定の媒体予約期間を設定し、前記無線リソース管理部は、前記媒体予約期間を超えない少なくとも１つの通信方式の組合せを設定し、前記送受信部は、選択した通信方式を用いて、前記通信装置にデータを送信し又は前記通信装置からデータを受信することを特徴とする。
【００１６】
（９）また、本発明の一態様は、複数の通信方式を用いて、通信装置と通信を行う制御装置の通信方法であって、前記複数の通信方式のうち、第１の通信方式を用いて、所定の周波数帯域において電波が使用されることを示す媒体予約信号を送信し、前記媒体予約信号を送信した後、前記複数の通信方式のうち、少なくとも１つの通信方式を用いて、前記通信装置にデータを送信し又は前記通信装置からデータを受信する送受信ステップと、前記通信装置にデータを送信し又は前記通信装置からデータを受信する周波数及び時間において無線リソースを管理し、前記電波が使用される期間を示す媒体予約期間を設定するリー無線リソース管理ステップと、を有し、前記媒体予約信号には、電波が使用される期間を示す媒体予約期間に関するフィールド含み、前記媒体予約期間は、前記通信装置にデータを送信又は受信する期間より長い期間が設定されることを特徴とする。
【００１７】
（１０）また、本発明の一態様は、複数の通信方式を用いて、通信装置と通信を行う制御装置を含む通信システムであって、前記制御装置は、前記複数の通信方式のうち、第１の通信方式を用いて、所定の周波数帯域において電波が使用されることを示す媒体予約信号を送信し、前記媒体予約信号を送信した後、前記複数の通信方式のうち、少なくとも１つの通信方式を用いて、前記通信装置にデータを送信し又は前記通信装置からデータを受信する送受信部と、前記通信装置にデータを送信し又は前記通信装置からデータを受信する周波数及び時間において無線リソースを管理し、前記電波が使用される期間を示す媒体予約期間を設定する無線リソース管理部と、を備え、前記通信装置は、前記媒体予約信号を受信した後、前記複数の通信方式のうち、少なくとも１つの通信方式を用いて、前記制御装置にデータを送信し又は前記制御装置からデータを受信する送受信部と、を備え、前記媒体予約信号には、電波が使用される期間を示す媒体予約期間に関するフィールド含み、前記媒体予約期間は、前記通信装置にデータを送信又は受信する期間より長い期間が設定されることを特徴とする。
【発明の効果】
【００１８】
本発明によれば、複数の異なる無線通信システムから構成されるヘテロジーニアスな通信ネットワークにおいて、周波数リソース及び時間リソースを、ネットワーク全体として、最適化することが可能となる。
【図面の簡単な説明】
【００１９】
【図１】第１の実施形態に係る無線通信ネットワークの構成例を示す図である。
【図２】第１の実施形態に係る制御装置及び通信装置の構成例を示す図である。
【図３】第１の実施形態に係る制御装置が媒体予約を用いて無線リソースを管理する例である。
【図４】第２の実施形態に係る通信ネットワークの構成例を示す図である。
【図５】第２の実施形態に係る複数の無線通信システムの機能を搭載した通信装置の構成例を示す図である。
【図６】第２の実施形態に係る制御装置が媒体予約を用いて無線リソースを管理する例である。
【図７】第２の実施形態に係る制御装置が媒体予約を用いて無線リソースを管理する別例である。
【図８】第３の実施形態に係る通信ネットワークの構成例を示す図である。
【図９】第３の実施形態に係る制御装置が基地局装置及び通信装置の周波数リソース及び時間リソースを制御するシーケンス例である。
【図１０】第３の実施形態に係る制御装置が基地局装置及び通信装置の周波数リソース及び時間リソースを制御するシーケンスの別例である。
【発明を実施するための形態】
【００２０】
（第１の実施形態）
本実施形態に係る通信ネットワークは、複数の無線通信システム（通信方式）を用いて構築される。例えば、ＬＴＥ−Ａ（Long Term Evolution-Advanced）などの無線アクセスネットワーク（ＲＡＮ：Radio Access Network）、ＩＥＥＥ８０２．１１ｂ、ｇ、ｎ等の無線ＬＡＮ、Ｂｌｕｅｔｏｏｔｈ（以下、Ｂｌｕｅｔｏｏｔｈ  Ｃｌａｓｓｉｃ、ＢＬＥを含む。以下、ＢＴ）、ＩＥＥＥ８０２．１５．４等が組み合わされる。以下、ＬＴＥ−Ａ、無線ＬＡＮ、ＢＴの無線通信システムを用いて構築された通信ネットワークを例に挙げて説明する。なお、本実施形態に係る無線通信システムは、無線規格で区別しているがこれに限定されない。同じ無線通信規格であっても、リリース（例えば、ＬＴＥ規格のリリース）やバージョン（例えば、ＩＥＥＥ８０２．１１ｂ、ｇ、ｎ、Ｂｌｕｅｔｏｏｔｈ
バージョン１．０〜４．０）が異なる場合、異なる無線通信システムと定義することができる。複信方式（ＦＤＤ（Frequency Division Duplex）、ＴＤＤ（Time Division Duplex））が異なる場合、異なる無線通信システムと定義することができる。本実施形態に
おいて、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。なお、この実施の形態によりこの発明が限定されるものではない。
【００２１】
図１は、本実施形態に係る通信ネットワークの構成例を示す図である。本実施形態に係る通信ネットワークは、制御装置１０−１、１０−２、通信装置２０−１、２０−２、２１−１、２２−１、２２−２、２２−３、を備える。本実施形態に係る無線通信ネットワークを構成する制御装置及び通信装置の設置数は図１に制限されない。１０、２０、２１、２２の設置数は図１に限定されない。制御装置１０−１〜１０−ｋ（ｋは設置数）を総称して制御装置１０とも称する。通信装置２０−１〜２０−ｌ（ｌは設置数）を総称して通信装置２０とも称する。通信装置２１−１〜２１−ｍ（ｍは設置数）を総称して通信装置２１とも称する。通信装置２２−１〜２２−ｎ（ｎは設置数）を総称して通信装置２２とも称する。
【００２２】
制御装置は、複数の無線通信システム（通信方式）を用いて、通信装置と接続することができる。制御装置１０は、ＬＴＥ−Ａ（ＬＴＥも含まれる）、無線ＬＡＮ及びＢＴ通信機能を備えた通信装置の例である。制御装置１０は、ゲートウェイ、ルータの機能を備える。制御装置１０は、無線／有線により、インターネット網等の基幹通信ネットワーク（例えば、ＩＰネットワーク、外部ネットワーク）と接続している。制御装置１０は、基幹通信ネットワークを介して、通信装置２０〜通信２２で使用されるアプリケーションなどを提供するサーバと接続している。制御装置１０−１、１０−２の各々は、ＬＴＥ−Ａ、無線ＬＡＮ及びＢＴの無線通信システムを用いて、サブネットワークを構築する。カバレッジ１０−１ａは、制御装置１０−１が無線ＬＡＮの通信機能を用いて、接続可能な範囲（通信エリア）である。カバレッジ１０−２ａは、制御装置１０−２が無線ＬＡＮの通信
機能を用いて、接続可能な範囲（通信エリア）である。通信装置２０は、無線ＬＡＮの機能を備える。通信装置２１は、ＬＴＥ−Ａの機能を備える。通信装置２２は、ＢＴの機能を備える。
【００２３】
図１において、制御装置１０−１は、無線ＬＡＮの機能を用いて、通信装置２０と通信する。制御装置１０−１は、ＬＴＥ−Ａの機能を用いて、通信装置２１と通信する。制御装置１０−１は、ＢＴの機能を用いて、通信装置２２と通信する。制御装置１０は、無線ＬＡＮにおけるアクセスポイント、ＬＴＥ−Ａにおける基地局装置（ｅＮＢ）、及びＢＴにおけるマスタノード（中心ノード、セントラル）の機能を有する。通信装置２０は、無線ＬＡＮにおけるＳＴＡの機能を有する。通信装置２１は、ＬＴＥ−ＡにおけるＵＥの機能を有する。通信装置２２は、ＢＴにおけるスレーブノード（端末ノード、ペリフェラル）の機能を有する。制御装置１０−１は、同一の周波数帯域（同一のシステム帯域）を用いて、通信装置２０、２１、２２と通信する。例えば、２．４ＧＨｚ帯域、５ＧＨｚ帯域のアンライセンスバンドなどが用いられる。アンライセンスバンドとは、国や地域からの使用許可を必要としない周波数帯域である。制御装置１０−１は、重複した周波数帯域を用いて、通信装置２０、２１、２２と通信することができる。制御装置１０−１は、通信装置２０、２１、２２の周波数リソース及び時間リソースを制御する。なお、制御装置１０、通信装置２０、２１、２２はモビリティを有することができる。
【００２４】
図２は、本実施形態に係る制御装置及び通信装置の構成例を示す図である。第１の送受信部１０１、２０１は、無線ＬＡＮの階層構造における物理媒体依存部（ＰＭＤ：Physical Medium Dependent）の処理を行う。第１の上位層処理部１０２、２０２は、無線ＬＡ
Ｎの階層構造における物理レイヤ管理情報（ＰＨＹ  ＭＩＢ：Physical Layer Management Information Base）、物理レイヤコンバージェンスプロトコル（ＰＬＣＰ：Physical Layer Convergence Protocol）、媒体アクセス制御（Medium Access Control: MAC）層等
の物理媒体依存部より上位の階層の処理を行う。
【００２５】
第２の送受信部１１１、２１１は、ＬＴＥ−Ａの階層構造における物理層の処理を行う。第２の上位層処理部１１２、２１２は、ＬＴＥ−Ａの階層構造における媒体アクセス制御（ＭＡＣ: Medium Access Control）層、無線リンク制御（ＲＬＣ：Radio Link Control）層、パケットデータ統合プロトコル（ＰＤＣＰ：Packet Data Convergence Protocol
）層、無線リソース制御（ＲＲＣ：Radio Resource Control）層等の物理層より上位の階層の処理を行う。
【００２６】
第３の送受信部１２１、２２１は、ＢＴの階層構造における物理層の処理を行う。第３の上位層処理部１２２、２２２は、ＢＴの階層構造におけるリンクマネージャー層（ＬＭ：Link Manager）、論理リンクコントロール及びアダプテーションプロトコル（Ｌ２ＣＡＰ：Logical Link Control and Adaptive Protocol）、アトリビュートプロトコル（ＡＴＴ：Attribute Protocol）、汎用アトリビュートプロファイル（ＧＡＴＴ：Generic Attribute Profile）、汎用アクセスプロファイル（ＧＡＰ：Generic Access Profile）等の
物理層より上位の階層の処理を行う。
【００２７】
無線ＬＡＮの通信処理を行う第１の無線通信処理部１０３は、第１の送受信部１０１及び第１の上位層処理部１０２で構成される。ＬＴＥ−Ａで通信を行う第２の無線通信処理部１１３は、第２の送受信部１１１及び第２の上位層処理部１１２で構成される。ＢＴで通信を行う第３の無線通信処理部１２３は、第３の送受信部１２１及び第３の上位層処理部１２２で構成される。第１の送受信部１０１、第２の送受信部１１１、第３の送受信部１２１を総称して、送受信部とも称する。
【００２８】
第１の無線通信処理部１０３、第２の無線通信処理部１１３、第３の無線通信処理部１
２３の各々は、複数の使用帯域幅（周波数チャネル帯域幅）、複数のデータレートを設定することができる。各々の無線通信処理部は、異なる使用帯域幅、データレートを設定することができる。無線リソース管理部１３０は、データを送信／受信するために用いる無線通信システムを選択することで、使用帯域幅、データレート等を調整することができる。無線リソース管理部１３０は、送信／受信に用いる無線通信システムによって、媒体予約期間（周波数／時間の予約する期間）を設定する。以下、各部位の処理について説明する。
【００２９】
制御装置１０は、アンテナ部１００、１１０、１２０、第１の送受信部（第１の送受信ステップ）１０１、第１の上位層処理部（第１の上位層処理ステップ）１０２、第２の送受信部（第２の送受信ステップ）１１１、第２の上位層処理部（第２の上位層処理ステップ）１１２、第３の送受信部（第３の送受信ステップ）１２１、第３の上位層処理部（第３の上位層処理ステップ）１２２、及び無線リソース管理部１３０を備える。
【００３０】
第１の送受信部１０１は、無線ＬＡＮの物理媒体依存部おける送信／受信処理の機能を有する。第１の無線送受信部１０１は、アンテナ部１００を介して受信した無線ＬＡＮのＯＦＤＭ（Orthogonal Frequency Division Multiplexing）信号に対して、ダウンコンバートによりベースバンド信号に変換し、不要な周波数成分を除去し、信号レベルが適切に維持されるように増幅レベルを制御し、アナログ信号をディジタル信号に変換する。第１の無線送受信部１０１は、変換したそのディジタル信号のうち、プリアンブル信号を用いてチャネル推定、タイミング検出等を行う。プリアンブル信号は、既知の系列である。また、第１の無線送受信部１０１は、変換したそのディジタル信号からサイクリックプレフィックス（ＣＰ；cyclic prefix）に相当する部分を除去した信号に対して、高速フーリ
エ変換（ＦＦＴ；Fast Fourier Transform）を行い、各サブキャリアの信号を取得する。第１の無線送受信部１０１は、各サブキャリアにおけるＢＰＳＫ（Binary Phase Shift Keying）、ＱＰＳＫ（Quadrature Phase Shift Keying）、１６ＱＡＭ（quadrature amplitude modulation）、６４ＱＡＭ等のデータ変調信号に対して、復調処理を行なう。さら
に、第１の無線送受信部１０１は、復調処理後、誤り訂正符号化に対する復号処理を行い、ＭＡＣフレームを構成する情報ビットを上位層処理部に入力する。第１の無線送受信部１０１が送受信を行う単位をパケットといい、ＭＡＣフレームを構成するデータの固まりに該当する。
【００３１】
第１の送受信部１０１は、第１の上位層処理部１０２から入力されるＭＡＣフレームを構成する情報ビットに対して畳み込み符号等の誤り訂正符号化処理を行った後、ＢＰＳＫ、ＱＰＳＫ、１６ＱＡＭ等のデータ変調処理を行う。第１の無線送受信部１０１は、そのデータ変調処理後の信号に対して逆高速フーリエ変換（Inverse FFT）してＯＦＤＭシン
ボルを生成し、ＯＦＤＭシンボルにＣＰを付加してベースバンドのディジタル信号を生成する。また、第１の無線送受信部１０１は、タイミング検出、チャネル推定等為のために用いられるプリアンブル信号やその他の物理レイヤヘッダを前記ディジタル信号に付加する。さらに、このプリアンブル信号等を付加したディジタル信号をアナログ信号に変換し、搬送周波数にアップコンバートし、電力増幅し、アンテナ１０１を介して送信する。なお、本実施形態に係る伝送方式は、ＯＦＤＭに限定されるものではなく、スペクトル拡散方式等も適用できる。
【００３２】
第１の上位層処理部１０２は、無線ＬＡＮの各機能のＭＡＣフレームフォーマットに基づいて、第１の無線送受信部１０１から入力された情報ビットを読み込む。ＭＡＣフレームフォーマットは、ビーコン、プローブ要求等のマネージメントフレーム、ＲＴＳ（Request To Send）フレーム、ＣＴＳ（Clear To Send）フレーム等の制御フレーム、送信データを格納するフィールドを含む基本フレーム等が該当する。例えば、第１の上位層処理部１０２は、ＲＴＳのＭＡＣフレームフォーマットに基づいて、通信装置２０が送信した送
信要求を読み込む。第１の上位層処理部１０２は、ＣＴＳのＭＡＣフレームフォーマットに基づいて、通信装置２０が送信した受信準備完了を示す信号を読み込む。ＲＴＳ、ＣＴＳを総称して、媒体予約信号とも称する。
【００３３】
なお、媒体予約信号には、後述するＤｕｒａｔｉｏｎフィールドをＭＡＣヘッダに備えた基本フレームや、ＬｅｎｇｔｈフィールドをＰＨＹヘッダに備えた基本フレームを含むことができる。また、媒体予約信号には、所定の通信装置が、他の通信装置の送信開始を促すトリガーフレーム（ポーリングフレーム）を含むことができる。
【００３４】
第１の上位層処理部１０２は、無線ＬＡＮの機能毎のＭＡＣフレームを生成する。ＭＡＣフレームは、マネージメントフレーム、ＲＴＳフレームやＣＴＳフレーム等の制御フレーム、ＡＣＫフレームや送信データを格納するフィールドを含む基本フレーム等が該当する。第１の上位層処理部２０１２は、これらのＭＡＣフレームを構成する各フィールドに書き込まれた情報ビットを、第１の無線送受信部１０１に入力する。例えば、ＲＴＳのＭＡＣフレームフォーマットに基づき、ＲＴＳフレーム（ＲＴＳメッセージ）を生成する。ＲＴＳは、所定の周波数帯域の電波が使用されることを示す信号（他通信装置に送信禁止を示す信号）である。ＲＴＳは、所定の周波数帯域の電波が使用される期間を示すことができる。ＲＴＳのＭＡＣフレームには、少なくとも送信禁止（ＮＡＶ：Network Allocation Vector）期間を示す情報が含まれる。送信禁止期間（ＮＡＶ期間）は、ＭＡＣフレー
ム内のＤｕｒａｔｉｏｎフィールド（所定の周波数帯域の電波が使用される期間を示すフィールド、媒体予約期間フィールド）に設定される。第１の上位層処理部１０２は、ＣＴＳのＭＡＣフレームフォーマットに基づき、ＣＴＳフレーム（ＣＴＳメッセージ）を生成する。ＣＴＳは、ＲＴＳを送信した通信装置に対して、受信準備完了を示す機能を有する。また、ＣＴＳは、所定の周波数帯域の電波が使用されることを示す機能を有する。ＣＴＳは、所定の周波数帯域の電波が使用される期間を示すことができる。ＣＴＳには、送信禁止期間を示す情報が含まれる。
【００３５】
ＣＴＳには、ＣＴＳ  ｔｏ  ｓｅｌｆが含まれる。ＣＴＳ  ｔｏ  ｓｅｌｆは、自分宛にＣＴＳフレームを送信し、周辺の通信装置に対して、送信禁止期間を示す機能を有する。送信禁止期間は、ＣＴＳフレームのＤｕｒａｔｉｏｎフィールドに設定される。送信禁止期間は、後述する無線リソース管理部１３０による第１の無線通信処理部１０３〜第３の無線通信処理部１２３への無線リソースの割当てに応じて、設定される。
【００３６】
第１の上位層処理部１０２は、基本フレームを用いて、送信禁止期間を示すこともできる。送信禁止期間は、基本フレームのＤｕｒａｔｉｏｎフィールドにより設定される。ＡＣＫフレームは、送信元の通信装置に対して、正常に受信したことを示す確認応答(Acknowledgement)の機能を有する。第１の上位層処理部１０２は、ＡＣＫフレームに含まれる
Ｄｕｒａｔｉｏｎフィールドを用いて、送信禁止期間を設定することもできる。第１の上位層処理部１０２は、無線ＬＡＮを搭載する通信装置２０の各種設定情報の管理をする。
【００３７】
第２の無線通信処理部１１３は、ライセンスバンド／アンライセンスバンドを用いて、ＬＴＥ−Ａの信号を受信／送信することができる。第２の無線通信処理部１１３は、ライセンスバンド／アンライセンスバンドを用いて、セルを生成することができる（ライセンスアシストアクセス（ＬＡＡ：License Assisted Access）とも称する）。第２の無線通
信処理部１１３は、ライセンスバンドとアンライセンスバンドからなる複数のコンポネントキャリアを用いて、同時に物理チャネルを送信することができる（キャリアアグリゲーションとも称する）。
【００３８】
第２の送受信部１１１は、ＬＴＥ−Ａにおける物理層の受信／送信処理の機能を有する。第２の送受信部１１１は、ライセンスバンド／アンライセンスバンドにおいて、アンテ
ナ部１１０を介して受信したＬＴＥ−Ａのマルチキャリア信号（例えば、ＤＦＴ−ｓｐｒｅａｄ−ＯＦＤＭ）に対して、ダウンコンバート処理を行う。その後、データ復調処理、復号処理等を行い、物理上りリンク共有チャネル（ＰＵＳＣＨ：Physical Uplink Shared
CHannel）、物理上りリンク制御チャネル（ＰＵＣＣＨ：Physical Uplink Control CHannel）、物理ランダムアクセスチャネル（ＰＲＡＣＨ：Physical Randam Access CHannel
）等を用いて、情報データ（例えば、ＵＬ−ＳＣＨ：UpLink- Shared Channel）や制御データ（例えば、ＵＣＩ：Uplink Control Indicator）を取得する。
【００３９】
第２の送受信部１１１は、第２の上位層処理部１１２から入力される下りリンクトランスポートチャネルを構成するビットに対して、誤り訂正符号化処理やデータ変調処理等により、ＬＴＥ−Ａにおける物理報知チャネル（ＰＢＣＨ：ＰＤＳＣＨ：Physical Broadcast CHannel）、物理制御フォーマット指示チャネル（ＰＣＦＩＣＨ：Physical Control Format Indicator CHannel）、物理ＨＡＲＱ指示チャネル（ＰＨＩＣＨ：Physical Hybrid
automatic repeat request Indicator CHannel）、物理下りリンク共有チャネル（ＰＤ
ＳＣＨ：Physical Downlink Shared CHannel）等を生成する。第２の送受信部１１１は、ＬＴＥ−Ａにおける物理下りリンク制御チャネル（ＰＤＣＣＨ：Physical Downlink Control CHannel）、拡張物理下りリンク制御チャネル（ＥＰＤＣＣＨ：Enhanced Physical Downlink Control CHannel）、同期信号（Synchronization signal）、Ｍｅａｓｕｒｅｍ
ｅｎｔや復調用伝搬路推定等に用いられる参照信号(Reference Signal)等を生成する。第２の送受信部１１１は、これらの物理チャネルをリソースエレメントに割当てる。リソースエレメントとは、１つのサブキャリアと１つのＯＦＤＭシンボルから成る信号を配置する最小単位をいう。第２の送受信部１１１は、リソースエレメントに割り当てた各物理チャネルに対してＯＦＤＭ変調を行い、ライセンスバンド／アンライセンスバンドの搬送周波数にアップコンバートし、電力増幅し、アンテナ１０１を介して送信する。
【００４０】
第２の上位層処理部１１２は、情報データ／制御データに含まれる端末装置の機能（UE
capability）等、端末装置に関する情報を取得する。端末装置に関する情報は、端末装
置がその機能をサポートしているかどうかを示すパラメータに加えて、端末装置がその機能に関する実装および／またはテストが完了しているかどうかを示すパラメータであってもよい。端末装置に関する情報には、キャリアアグリゲーションやライセンスアシストアクセスをサポートしていることを示す情報を含めることができる。端末装置に関する情報には、その端末がサポートしているキャリアアグリゲーションのオペレーション帯域／帯域幅を示す情報、ライセンスバンド／アンライセンスバンドのオペレーション帯域／帯域幅を示す情報、アンライセンスバンドで送信することができるサブフレームを示す情報を含めることができる。オペレーション帯域／帯域幅を示す情報は、サポートしているライセンスバンド／アンライセンスバンドの組合せを示す情報であってもよい。
【００４１】
第２の上位層処理部１１２は、物理下りリンク共有チャネルに配置される下りリンクデータ、無線リソース制御（ＲＲＣ）メッセージ、ＭＡＣ  ＣＥ等の上位層(Higher layer)の信号を生成し、第２の送受信部１１１に出力する。第２の上位層処理部１１２は、ＬＴＥ−Ａを搭載する通信装置２１の各種設定情報の管理をする。第２の上位層処理部１１２は、ライセンスアシストアクセスをサポートしていることを示す情報、キャリアアグリゲーションのオペレーション帯域／帯域幅、ライセンスバンド／アンライセンスバンドのオペレーション帯域／帯域幅を示す情報は、システムインフォメーションや無線リソース制御（ＲＲＣ）において、シグナリングすることができる。
【００４２】
第２の無線通信処理部１１３は、キャリアアグリゲーションにおけるプライマリセル（Ｐｃｅｌｌ）とセカンダリセル（Ｓｃｅｌｌ）、セカンダリプライマリセル（ＰＳｃｅｌｌ）を構成することができる。第２の無線通信処理部１１３は、これらのセルにライセンスバンド／アンライセンスバンドを含めることができる。第２の上位層処理部１１２は、
Ｓｃｅｌｌ／ＰＳｃｅｌｌの活性化（activation）／非活性化（Deactivation）を設定することができる。第２の上位層処理部１１２は、Ｓｃｅｌｌ／ＰＳｃｅｌｌを活性化（activation）／非活性化（Deactivation）する時間を設定することができる。
【００４３】
第２の上位層処理部１１２は、Ｓｃｅｌｌ／ＰＳｃｅｌｌに用いるセルの追加／リリースを指し示す情報を設定することができる。Ｓｃｅｌｌ／ＰＳｃｅｌｌに用いるセルを指し示す情報には、キャリア周波数の情報が含まれる。第２の上位層処理部１１２は、上記セルにおけるライセンスアシストアクセスを用いるサブフレーム指し示す情報を設定することができる。第２の上位層処理部１１２は、上記セルにおけるライセンスアシストアクセスを用いて送信する最初のサブフレームのスタート位置を指し示す情報を設定することができる。
【００４４】
第３の送受信部１２１は、ＢＴの物理層における送信／受信処理の機能を有する。第３の送受信部１２１は、第３の上位層処理部１２２から入力されるＢＴパケットを構成する情報ビットに対して、ガウス周波数変調（ＧＦＳＫ：Gaussian Frequency Shift Keying
）を行った後、周波数ホッピング処理（ＦＨＳＳ：Frequency Hopping spread Spectrum
）を行う。第２の無線送受信部１２２は、周波数ホッピング処理により、ＢＴの周波数チャネルにＧＦＳＫ変調後の信号を割り当てた後、搬送周波数にアップコンバートし、電力増幅し、アンテナ１２０を介して送信する。
【００４５】
第３の送受信部１２１は、アンテナ部１２０を介して受信したＢＴの信号に対して、ダウンコンバートによりベースバンド信号に変換し、各周波数チャネルに割当てられた信号を抽出する。第３の送受信部１２１は、各周波数チャネルの信号に対して、ＧＦＳＫの復調処理を行なう。さらに、第３の無線送受信部１２１は、ＢＴパケットを構成する復調後の情報データを第３の上位層処理部１２２に入力する。
【００４６】
第３の上位層処理部１２２は、ＢＴの通信パケットを生成する。ＢＴの通信パケットは、アクセスコード、ヘッダ、ペイロード等から構成される。アクセスコードは、物理チャネルのパケットの同期、識別やページング、問合せ動作に使用される。ヘッダには、パケット・タイプなどのリンク制御情報が含まれる。ＢＴのリンクタイプには、非同期リンク（ＡＳＬ：Asynchronous Connection-Less）、同期リンク（ＳＣＯ：Synchronous Connection-Less）等がある。ペイロードには、ユーザ常用や制御情報が含まれる。ＢＴの通信
パケットは、同期用のプリアンブルフィールド、アクセスアドレスフィールド、プロトコルデータユニットＰＤＵ、ＣＲＣチェックフィールドなどから構成することができる。
【００４７】
ＢＴは、ポーリングアクセス制御を採用することができる。ポーリングアクセス制御において、マスタノードがネットワークにある全てのスレーブノードのアクセス権を管理する。第３の無線通信処理部１２３は、一定間隔でポーリングパケットを送信する。第３の上位層処理部１２２は、ポーリングパケットを送信するタイミング（スレーブノードがアクセスするタイミング）を制御する。
【００４８】
第３の上位層処理部１２２は、ＢＴにおける接続インターバル、スレーブレイテンシ、実効接続インターバルを設定できる。接続インターバルは、マスタの通信装置が同一のスレーブの通信装置に接続イベントを与える間隔である。スレーブレイテンシは、スレーブがポーリングパケットを無視する回数（接続イベントに不参加の最大連続回数）である。実効接続インターバルは、マスタノードが送信したポーリングパケットに対して、スレーブノードが応答する必要のあるインターバルである。実効接続インターバルは、接続インターバル×（１＋スレーブレイテンシ）である。
【００４９】
第３の上位層処理部１２２は、通信装置２２に送信したポーリングパケットに対する応
答データを第３の送受信部１２１から読み込む。第３の上位層処理部１２２は、第３の送受信部１２１から入力されたアドバタイザメントパケットにおけるデータを読み込む。アドバイザメントパケットは、通信装置２２が送信したＢＴのネットワーク参加要請を示すパケットである。第３の上位層処理部は、ＢＴの通信パケットフォーマットに基づいて、第３の送受信部１２１から入力された応答データを読み込む。第３の上位層処理部は、ＢＴの通信パケットフォーマットに基づいて、情報データを送信することができる。
【００５０】
制御装置１０は、基幹通信ネットワーク網を介して、自装置が送信する情報データを受信する。制御装置１０は、これらの情報データをＩＰパケット単位で受信することができる。無線リソース管理部１３０は、これらの情報データを格納するバッファを備える。無線リソース管理部１３０は、ルータの機能を備える。無線リソース管理部１３０は、これらの情報データを送信先（例えば、ＩＰアドレス）により、第１の無線通信処理部１０３〜第３の無線送信処理部１２３に仕分けする。無線リソース管理部１３０は、通信装置２０のＩＰアドレスを送信先とするパケットを第１の無線通信処理部１０３に入力する。無線リソース管理部１３０は、通信装置２１のＩＰアドレスを送信先とするパケットを第２の無線通信処理部１１３に入力する。無線リソース管理部１３０は、通信装置２２のＩＰアドレスを送信先とするパケットを第３の無線通信処理部１２３に入力する。
【００５１】
無線リソース管理部１３０は、第１の無線通信処理部１０３、第２の無線通信処理部１１３及び第３の無線送信処理部１２３が送信する情報データをモニタする。例えば、無線リソース管理部１３０は、各々の無線通信処理部が送信するパケット（各々の無線通信システムを用いて送信するパケット）の送信先の数（通信装置数、端末数）、パケット数（データ容量）をモニタする。無線リソース管理部１３０は、各々の無線通信処理部の無線パラメータを管理する。無線リソース管理部１３０は、第１の無線通信処理部〜第３の無線通信処理部を介して、通信装置２０〜２２に搭載されている無線通信システムを示す情報及びその無線パラメータを取得することができる。
【００５２】
無線リソース管理部１３０は、第１の無線通信処理部１０３〜第３の無線通信処理部１２３に割当てる無線リソース（周波数リソース／時間リソース）を管理する。無線リソース管理部１３０は、無線ＬＡＮのパケット通信、ＬＡＡを用いたＬＴＥ−Ａ通信及びＬＴＥのパケット通信用の媒体予約（周波数／時間の予約）をするために、ＲＴＳフレーム／ＣＴＳフレームを送信するタイミング／周波数チャネル／Ｄｕｒａｔｉｏｎフィールド（ＮＡＶ期間）を設定する。無線リソース管理部１３０は、これらの複数の通信システムを用いたパケット通信のために設定したＲＴＳフレーム／ＣＴＳフレームを送信するタイミング／周波数チャネル／Ｄｕｒａｔｉｏｎフィールドを第１の無線通信処理部１０３に通知する。第１の無線送受信部１０３／第１の上位層処理部１０２は、これらのタイミング／周波数チャネル／Ｄｕｒａｔｉｏｎフィールドに基づいて、媒体予約処理を行う。無線リソース管理部１３０は、各通信方式のパケット／サブフレーム／フレーム単位で媒体予約処理をすることができる。
【００５３】
図２において、通信装置２０は、アンテナ部２００、第１の送受信部２０１と第１の上位層処理部２０２を備える。第１の送受信部２０１、第１の上位層処理部２０２の各々は、第１の送受信部１０１、第１の上位層処理部１０２と同様に、無線ＬＡＮの送信／受信処理の機能を有する。
【００５４】
通信装置２１は、アンテナ部２１０、第２の送受信部２１１と第２の上位層処理部２１２を備える。第２の送受信部２１１、第２の上位層処理部２１２は、ＬＴＥ−ＡのＵＥ（User Equipment）の機能を備える。第２の送受信部２１１は、ライセンスバンド／アンライセンスバンドにより送信された下りリンクの情報データ（ＰＤＳＣＨ）や制御データ（ＰＤＣＣＨ）等を受信する。第２の送受信部２１１は、上りリンクの情報データ（ＰＵＳ
ＣＨ）や制御データ（ＰＵＣＣＨ）などを生成する。第２の送受信部２１１は、これらの上りリンク情報データや制御データをライセンスバンド／アンライセンスバンドで送信することができる。第２の上位層処理部２１２は、制御装置１０に対して送信する端末装置に関する情報を生成する。
【００５５】
通信装置２２は、アンテナ部２２０、第３の送受信部２２１と第３の上位層処理部２２２を備える。第３の送受信部２２１、第３の上位層処理部２２２は、ＢＴの機能を備える。第３の送受信部２２１は、第３の送受信部１２１と同様の送信／受信処理の機能を有する。通信装置２２は、マスタノードが送信したポーリングパケットに対して、実効接続インターバルに基づいて、応答パケットを送信する。第３の上位層処理部２２２は、制御装置１０が送信したポーリングパケットを第３の送受信部３０１から読み込む。ポーリングパケットに読取要求が含まれる場合、第３の上位層処理部２２２は、応答データを第３の送受信部２２１に入力する。
【００５６】
図３は、本実施形態に係る制御装置が媒体予約を用いて無線リソースを管理する例である。無線リソース管理部１３０において、バッファに、通信装置２０−１宛のＩＰパケット、通信装置２１−１宛のＩＰパケット、通信装置２２−１及び通信装置２２−２宛のＩＰパケットが格納されたとする。制御装置１０−１の第２の無線通信処理部１１３は、Ｓｃｅｌｌにおいて、アンライセンスバンドによる接続を確立する。この場合、制御装置１０−１の無線リソース管理部１３０は、無線ＬＡＮ通信、ＬＡＡを用いたＬＴＥ−Ａ通信及びＢＴ通信を行うために媒体予約期間ｔ１０を設定する。無線リソース管理部１３０は、無線ＬＡＮ通信、ＬＴＥ−Ａ通信及びＢＴ通信を時間分割多重（ＴＤＭ：Time Division Multiplex）により、無線リソース管理を行う。期間ｔ１０１、ｔ１０２、ｔ１０３の
各々は、無線ＬＡＮ通信、ＬＡＡを用いたＬＴＥ−Ａ通信、ＢＴ通信のために算出された期間である。
【００５７】
例えば、無線リソース管理部１３０は、通信装置２０−１宛のＩＰパケット数（データ量）、通信装置２０−１宛に使用可能な無線ＬＡＮの無線パラメータ（周波数帯域幅、ＭＣＳ、空間多重数など）により、無線ＬＡＮ通信に必要な時間リソースｔ１０１を算出する。無線リソース管理部１３０は、通信装置２１−１宛のＩＰパケット数（データ量）、通信装置２１−１宛に使用可能なＬＴＥ−Ａの無線パラメータ（Ｓｃｅｌｌの周波数帯域幅、リソースブロック数、ＭＣＳ、空間多重数、データレートなど）により、ＬＴＥ−Ａ通信（ＬＡＡを適用）に必要な時間リソースｔ１０２を算出する。無線リソース管理部１３０は、通信装置２２−１、２２−２宛に使用可能なＢＴの無線パラメータ（周波数チャネル、実効接続インターバルなど）、接続する通信装置数により、ＢＴ通信に必要な時間リソースｔ１０３を算出する。
【００５８】
無線ＬＡＮ通信、ＬＡＡを用いたＬＴＥ−Ａ通信、ＢＴ通信を行う期間（時間リソースを割り当てる順）は、各ＩＰパケットで許容されるレイテンシにより設定することができる。例えば、媒体予約期間ｔ１０の時間リソースを割り当てる順は、各ＩＰパケットで許容されるレイテンシが、昇順に、無線ＬＡＮ通信、ＢＴ通信、ＬＴＥ−Ａ通信の場合である。これにより、各ＩＰパケットのレイテンシの要求条件を充たしつつ、通信ネットワーク全体として、効率的に時間リソースを割り当てることができる。
【００５９】
制御装置１０−１の第１の無線通信処理部１０３は、所定のバックオフ（例えば、短フレーム間隔ＳＩＦＳ（Short Inter Frame space））の後、ＲＴＳを送信する。無線通信
処理部１０３は、ＲＴＳに含まれるＤｕｒａｔｉｏｎフィールドに、媒体予約期間ｔ１０を格納する。無線通信処理部１０３は、無線ＬＡＮ通信、ＬＡＡを用いたＬＴＥ−Ａ通信、ＢＴ通信を行う周波数帯域において、ＲＴＳを送信する。無線通信処理部１０３は、無線ＬＡＮ通信、ＬＡＡを用いたＬＴＥ−Ａ通信、ＢＴ通信を行う周波数帯域幅のうち、最
大の帯域幅のＲＴＳを送信する。ＲＴＳには、送信アドレスとして、送信装置２０−１のアドレスが格納されている。ＲＴＳを受信した制御装置１０−２及び通信装置２０−２は、ＲＴＳに含まれるＤｕｒａｔｉｏｎフィールドの値に基づいて、ＮＡＶ期間（媒体予約期間ｔ１０）において無線ＬＡＮの送信を抑制する。
【００６０】
ＲＴＳを受信した通信装置２０−１は、所定のバックオフの後、ＣＴＳを制御装置１０−１宛に送信する。ＣＴＳを受信した制御装置１０−１は、ＷＬＡＮ通信（第１の無線通信処理部１０３）を用いて、通信装置２０−１にパケットを送信する（期間ｔ１０１）。制御装置１０−１は、ＷＬＡＮ通信が終了した後、ＢＴ通信（第３の無線通信処理部１２３）を用いて、通信装置２２−１、２２−２にパケットを送信する（期間ｔ１０２）。
【００６１】
制御装置１０−１は、ＢＴ通信が終了した後、ＬＴＥ−Ａ通信（第２の無線通信処理部１１３）を用いて、通信装置２１−１にパケットを送信する（期間ｔ１０３）。第２の無線通信処理部１１３は、期間ｔ１０３において、ライセンスバンドとアンライセンスバンドにより組み合わされたキャリアアグリゲーションを用いて、通信装置２１−１にパケットを送信する。第２の無線通信処理部１１３は、期間ｔ１０３の期間（開始時間や長さ）に合わせて、Ｓｃｅｌｌ／ＰＳｃｅｌｌの活性化／非活性化を設定することができる。制御装置１０−１は、無線ＬＡＮ通信における媒体予約機能を用いて、ライセンスバンドとアンライセンスバンドにより組み合わされたキャリアアグリゲーションを支援する。
【００６２】
無線ＬＡＮを用いた媒体予約において、Ｄｕｒａｔｉｏｎフィールドに設定できる期間は有限である。制御装置１０−１は、通信装置２１−１に送信するＩＰパケット数が媒体予約期間ｔ１０において全て送信できなかった場合、さらに媒体予約をすることができる。期間ｔ１０の後、無線リソース管理部１３０において、バッファに、通信装置２１−１宛のＩＰパケット（ｔ１０において送信できなかったパケット）及び通信装置２２−１〜通信装置２２−３宛のＩＰパケットが格納されたとする。制御装置１０−１の第２の無線通信処理部１１３は、Ｓｃｅｌｌにおいて、アンライセンスバンドによる接続を確立する。この場合、制御装置１０−１の無線リソース管理部１３０は、ＬＡＡを用いたＬＴＥ−Ａ通信、ＢＴ通信を行うために媒体予約期間ｔ１１を設定する。期間ｔ１０４、ｔ１０５、の各々は、ＬＡＡを用いたＬＴＥ−Ａ通信、ＢＴ通信のために算出された期間である。
【００６３】
無線リソース管理部１３０は、通信装置２１−１宛のＩＰパケットのサイズ、ＩＰパケット数、通信装置２１−１宛に使用可能なＬＴＥ−Ａの無線パラメータ（Ｓｃｅｌｌの周波数帯域幅、リソースブロック数、ＭＣＳ、空間多重数、など）により、ＬＴＥ−Ａ通信（ＬＡＡを適用）に必要な時間リソースｔ１０４を算出する。期間ｔ１０４は、期間ｔ１０３で送信されるパケット数より多い。このため、期間ｔ１０４は、期間ｔ１０３より長く設定される（その他のＬＴＥ−Ａの無線パラメータは期間ｔ１０３と期間ｔ１０４で同様とする）。
【００６４】
無線リソース管理部１３０は、通信装置２２−１〜２２−３宛の通信装置２２−１、２２−２宛に使用可能なＢＴの無線パラメータ（周波数チャネル、実効接続インターバルなど）、通信装置の接続数により、ＢＴ通信に必要な時間リソースｔ１０５を算出する。期間ｔ１０５は、期間ｔ１０２で送信される通信装置の数が多い。このため、期間ｔ１０５は期間１０２の期間より長く設定される（その他のＢＴの無線パラメータは期間ｔ１０２と期間ｔ１０５で同様とする）。
【００６５】
無線ＬＡＮ通信、ＬＡＡを用いたＬＴＥ−Ａ通信、ＢＴ通信を行う期間（時間リソースを割り当てる順）は、バッファに格納されている各ＩＰパケット数（データ容量）により設定することができる。例えば、媒体予約期間ｔ１１の時間リソースを割り当てる順は、バッファに格納されている各ＩＰパケット数が、降順に、ＬＴＥ−Ａ通信、ＢＴ通信の場
合である。これにより、各ＩＰパケットのためのバッファの飽和を防ぎつつ、通信ネットワーク全体として、効率的に時間リソースを割り当てることができる。
【００６６】
制御装置１０−１の第１の無線通信処理部１０３は、所定のバックオフの後、ＣＴＳ  ｔｏ  ｓｅｌｆを送信する。無線通信処理部１０３は、該ＣＴＳに含まれるＤｕｒａｔｉｏｎフィールドに、媒体予約期間ｔ１１を格納する。無線通信処理部１０３は、ＬＡＡを用いたＬＴＥ−Ａ通信、ＢＴ通信を行う周波数帯域において、ＣＴＳを送信する。ＣＴＳを受信した制御装置１０−２及び通信装置２０−１及び２０−２は、ＣＴＳに含まれるＤｕｒａｔｉｏｎフィールドの値に基づいて、ＮＡＶ期間（媒体予約期間ｔ１１）において無線ＬＡＮの送信を抑制する。
【００６７】
制御装置１０−１は、ＣＴＳを送信後、ＬＴＥ−Ａ通信を用いて、通信装置２１−１にパケットを送信する（期間ｔ１０４）。制御装置１０−１は、ＬＴＥ−Ａ通信が終了した後、ＢＴ通信（第３の無線通信処理部１２３）を用いて、通信装置２１−１〜２１−３にパケットを送信する（期間ｔ１０５）。制御装置１０−１は、期間ｔ１０２、１０３、１０５において各通信を行う前に、キャリアセンスをしてもよい。
【００６８】
以上のように、制御装置１０−１は、無線ＬＡＮによる媒体予約において、同一周波数帯域を用いる他の複数の無線通信システムの通信に必要な期間を考慮して、周波数及び時間リソースの占有期間を設定する。さらに、制御装置１０−１は、各無線通信システムに割当てる周波数リソース及び時間リソースを、データ量（パケット数）、レイテンシなどの要求される通信品質及び各無線通信システムの無線パラメータにより管理する。これにより、同一周波数帯を用いる複数の無線通信システムから構成される通信ネットワークにおいて、そのネットワーク全体において、相互の干渉を回避しつつ、最適なリソース管理が可能となる。
【００６９】
なお、上記では、制御装置が、下りリンク（フォワードリンク）において、通信装置にデータを送信する場合で説明したが、上りリンク（リバースリンク）において、通信装置が制御装置にデータを送信する場合も適用できる。例えば、制御装置１０は、ＬＴＥ-Ａ
通信において、通信装置２１からスケジューリングリクエスト（ＳＲ：Scheduling Request）などを受信し、上りリンクのデータ量を把握することができる。制御装置１０は、ＢＴ通信において、ポーリングパケットを送信することにより、上りリンクのデータ量を把握することができる。
【００７０】
また、無線リソース管理部１３０は、無線ＬＡＮ通信、ＬＴＥ−Ａ通信及びＢＴ通信を周波数分割多重（ＦＤＭ：Frequency Division Multiplex）により、無線リソース管理を行うこともできる。この場合、第１の無線通信処理部１０３は、制御装置１０が確保する周波数帯域全体に対して、媒体予約信号（例えばCTS to self）を送信することができる
。その後、無線リソース管理部１３０は、媒体予約信号を送信した周波数帯域を、少なくとも２つの周波数帯域に分割し、それぞれの周波数帯域において、それぞれ異なる通信方式に基づいて、制御装置１０は無線通信を行なうことができる。無線リソース管理部１３０は、更に、上記に説明した時間分割多重を同時に行なうことも可能である。
【００７１】
また、制御装置１０−１と制御装置１０−２は、お互いに無線リソースを共有することができる。制御装置１０−１と制御装置１０−２は、お互いが送信する媒体予約信号および該媒体予約信号が確保する無線リソースがオーバーラップしないように、それぞれ媒体予約信号を送信することができる。例えば、制御装置１０−１と制御装置１０−２がそれぞれ送信する媒体予約信号は、時間分割多重または周波数分割多重されることができる。
【００７２】
また、制御装置１０−１は、制御装置１０−２が確保した無線リソースにおいて、制御
装置１０−２の制御に基づいて、無線通信を行なうことができる。このとき、制御装置１０−２は、制御装置１０−１の無線通信に割り当てた無線リソースにおいては、自装置は無線通信を行なわない。また、制御装置１０−１は制御装置１０−２が確保した無線リソースにおいて、制御装置１０−２の制御に基づいて、無線通信を行なう場合、改めて媒体予約信号を送信することもできるし、媒体予約信号を送信することなく、無線通信を行なうこともできる。
【００７３】
また、媒体予約信号を送信するのは、第１の無線通信処理部１０３に限定されない。例えば、制御装置１０は、ＬＡＡを用いたＬＴＥ−Ａ通信に基づいて、媒体予約信号を送信することができる。例えば、制御装置１０は、ＬＡＡを用いたＬＴＥ−Ａ通信に基づいて、媒体予約信号を送信し、該媒体予約信号によって確保した無線リソース（例えば最大チャネル占有時間（ＭＣＯＴ：Maximum channel occupancy time）で定義される時間リソース）において、ＷＬＡＮ通信やＢＴ通信を行なうことができる。制御装置１０−１は、該無線リソース内における各通信を行う前に、キャリアセンスをしてもよい。該キャリアセンスの期間は、前記媒体予約信号を送信するために行うキャリアセンス期間より短く設定することもできる。
【００７４】
（第２の実施形態）
図４は、本実施形態に係る通信ネットワークの構成例を示す図である。図４における通信ネットワークの構成は、図１の通信ネットワークの構成に加え、複数の無線通信システムの機能を搭載した通信装置２３−１（共同通信装置、コンボ通信装置）を備える。１０、２０、２１、２２、２３の設置数は図４に限定されない。通信装置２３−１〜２３−ｐ（ｐは設置数）を総称して制御装置２３とも称する。通信装置１０、２０、２１、２２は、図２と同様の構成を有する。なお、通信装置２３はモビリティを有することができる。
【００７５】
図５は、本実施形態に係る複数の無線通信システムの機能を搭載した通信装置の構成例を示す図である。通信装置２３−１は、第１の送受信部２０１及び第１の上位層処理部２０２を備え、無線ＬＡＮの無線通信処理を行う。通信装置２３−１は、第２の送受信部２１１及び第２の上位層処理部２１２を備え、ＬＴＥ−Ａの無線通信処理を行う。通信装置２３−１は、第３の送受信部２２１及び第３の上位層処理部２２２を備え、ＢＴの無線通信処理を行うことができる。通信装置２３−１は、無線ＬＡＮ、ＬＴＥ−Ａ、ＢＴの各々の無線通信システムを用いて、制御装置１０と通信を行うことができる。無線リソース管理部１３０は、第１の無線通信処理部〜第３の無線通信処理部を介して、通信装置２０〜通信装置２３に搭載されている無線通信システムを示す情報及びその無線パラメータを取得することができる。
【００７６】
無線リソース管理部１３０において、バッファに、通信装置２３−１宛のパケットが格納されたとする。無線リソース管理部１３０は、無線ＬＡＮ、ＬＴＥ−Ａ、ＢＴのいずれを用いて該パケットを送信するか、を判断する。無線リソース管理部１３０は、通信装置２３−１宛のパケットのサイズ、パケット数、通信装置２３−１宛に使用可能な無線通信システムの無線パラメータ（周波数帯域幅、ＭＣＳ、空間多重数など）により、使用する無線通信システムを判断することできる。無線リソース管理部１３０は、そのパケットが用いられるアプリケーション等の種類により、無線通信システムを判断してもよい。無線リソース管理部１３０は、そのパケットに要求される通信品質により、無線通信システムを判断してもよい。通信品質には、データレート、モビリティ、レイテンシ、セキュリティなどである。無線リソース管理部１３０は、制御装置１０−１と通信装置２３−１の通信距離により、無線通信システムを判断してもよい。
【００７７】
図６は、本実施形態に係る制御装置が媒体予約を用いて無線リソースを管理する例である。無線リソース管理部１３０は、通信装置２３−１へのデータ送信のために選択した無
線通信システムによって、媒体予約期間を設定することができる。無線リソース管理部１３０は、制御装置１０−１が無線ＬＡＮ通信を用いて通信装置２３−１にデータを転送するために、ＲＴＳのＤｕｒａｔｉｏｎフィールドを用いて、媒体予約期間ｔ２０を設定する。無線リソース管理部１３０は、制御装置１０−１がＬＴＥ−Ａ通信（ＬＡＡを適用）を用いて通信装置２３−１にデータを転送するために、媒体予約期間ｔ２１を設定する。無線リソース管理部１３０は、制御装置１０−１がＢＴ通信及びＬＴＥ−Ａ通信（ＬＡＡを適用）を用いて通信装置２３−１にデータを転送するために、媒体予約期間ｔ２２を設定する。無線ＬＡＮ通信に必要な時間リソースｔ２０１＞ＬＴＥ−Ａ通信に必要な時間リソースｔ２０２＞ＢＴ通信に必要な時間リソースｔ２０３である場合、無線リソース管理部１３０は、媒体予約期間ｔ２０＞媒体予約期間ｔ２１＞媒体予約期間ｔ２２を設定する。
【００７８】
図７は、本実施形態に係る制御装置が媒体予約を用いて無線リソースを管理する別の例である。無線リソース管理部１３０は、所定の媒体予約時間となる無線通信システムを選択することができる。無線リソース管理部１３０は、一定の媒体予約期間Ｔを設定している。時間ｔ１、時間ｔ２の各々において、無線リソース管理部１３０のバッファに、通信装置２３−１宛のパケットが格納されたとする。無線リソース管理部１３０は、そのパケットサイズやパケット数により、媒体予約期間Ｔを充たす無線通信システムを選択する。
【００７９】
無線リソース管理部１３０は、時間ｔ１において、バッファに格納されたパケットサイズ等により、媒体予約期間Ｔ内にパケットの送信を完了する無線ＬＡＮ通信を用いて通信装置２３−１にパケットを送信することを選択する。制御装置１０−１の第１の無線通信処理部１０３は、所定のバックオフの後、ＲＴＳを送信する。無線通信処理部１０３は、ＲＴＳに含まれるＤｕｒａｔｉｏｎフィールドに、媒体予約期間Ｔを格納する。無線通信処理部１０３は、無線ＬＡＮ通信を行う周波数帯域において、ＲＴＳを送信する。ＲＴＳには、送信アドレスとして、送信装置２０−１のアドレスが格納されている。ＲＴＳを受信した制御装置１０−２及び通信装置２０は、ＲＴＳに含まれるＤｕｒａｔｉｏｎフィールドの値に基づいて、ＮＡＶ期間（媒体予約期間ｔ３０）において無線ＬＡＮの送信を抑制する。ＲＴＳを受信した通信装置２０−１は、所定のバックオフの後、ＣＴＳを制御装置１０−１宛に送信する。ＣＴＳを受信した制御装置１０−１は、無線ＬＡＮ通信（第１の無線通信処理部１０３）を用いて、通信装置２３−１にパケットを送信する。
【００８０】
無線リソース管理部１３０は、時間ｔ２において、バッファに格納されたパケットサイズ等により、媒体予約期間Ｔ内にパケットの送信を完了するＬＴＥ−Ａ通信（ＬＡＡを適用）を用いて通信装置２３−１にパケットを送信することを選択する。制御装置１０−１の第１の無線通信処理部１０３は、所定のバックオフの後、ＣＴＳ  ｔｏ  ｓｅｌｆを送信する。第２の無線通信処理部１１３は、該ＣＴＳに含まれるＤｕｒａｔｉｏｎフィールドに、媒体予約期間Ｔを格納する。第２の無線通信処理部１１３は、ＬＡＡを用いたＬＴＥ−Ａ通信を行う周波数帯域において、該ＣＴＳを送信する。ＣＴＳを受信した制御装置１０−２及び通信装置２０は、ＣＴＳに含まれるＤｕｒａｔｉｏｎフィールドの値に基づいて、ＮＡＶ期間（媒体予約期間ｔ３１）において無線ＬＡＮの送信を抑制する。制御装置１０−１の第２の無線通信処理部１１３は、Ｓｃｅｌｌにおいて、アンライセンスバンドによる接続を確立した後、ＬＴＥ−Ａ通信を用いて、通信装置２３−１にパケットを送信する。
【００８１】
無線リソース管理部１３０は、制御装置１０−１に接続する通信装置を包括的に考慮して、無線通信システムを選択することもできる。制御装置１０−１は、時間ｔ３において、無線リソース管理部１３０のバッファに通信装置２３−１宛のパケットと通信装置２２−１〜通信装置２２−３宛のパケットが格納されたとする。無線リソース管理部１３０は、他の通信装置２２宛にパケット送信と同様の無線通信システム（ＢＴ通信）により、通
信装置２３−１のパケットを送信することを選択する。制御装置１０−１の第１の無線通信処理部１０３は、所定のバックオフの後、ＣＴＳ  ｔｏ  ｓｅｌｆを送信する。第３の無線通信処理部１２３は、該ＣＴＳに含まれるＤｕｒａｔｉｏｎフィールドに、媒体予約期間Ｔを格納する。第３の無線通信処理部１２３は、ＬＡＡを用いたＬＴＥ−Ａ通信を行う周波数帯域において、該ＣＴＳを送信する。ＣＴＳを受信した制御装置１０−２及び通信装置２０は、ＣＴＳに含まれるＤｕｒａｔｉｏｎフィールドの値に基づいて、ＮＡＶ期間（媒体予約期間ｔ３２）において無線ＬＡＮの送信を抑制する。制御装置１０−１の第３の無線通信処理部１２３は、ＣＴＳを送信後、ＢＴ通信を用いて、通信装置２３−１及び通信装置２２にパケットを送信する。
【００８２】
以上のように、制御装置１０−１は、同一周波数帯域を用いる複数の無線通信システムを搭載した通信装置に対して、要求される通信品質や無線通信システムの性能、媒体予約期間を考慮して選択した無線通信システムにより、データを送信する。これにより、同一周波数帯を用いる複数の無線通信システムから構成される通信ネットワークにおいて、そのネットワーク全体において、相互の干渉を回避しつつ、最適なリソース管理が可能となる。
【００８３】
（第３の実施形態）
図８は、本実施形態に係る通信ネットワークの構成例を示す図である。図７における通信ネットワークの構成は、基地局装置１（基幹通信装置、マクロネットワーク通信装置）、制御装置１１−１、１１−２、通信装置２０−１、２０−２、２１−１、２２−１、２２−２、２２−３、を備える。１１、２０、２１、２２、２３の設置数は図７に限定されない。通信装置１０、２０、２１、２２、２３は、図５と同様の構成を有する。制御装置１１−１〜１１−ｑ（ｑは設置数）を総称して制御装置１１とも称する。制御装置１１は、図２の制御装置１０に加え、基地局装置１と通信する機能を有する。制御装置１１は、図２の制御装置１０と同様の構成を備える。以下、制御装置１１を構成する各部位において、制御装置１０との差異点を説明する。
【００８４】
本実施形態に係る制御装置は、複数の通信システム（通信方式とも称する。無線、有線を問わない。）を用いて基地局装置１と接続することができる。制御装置１１の第１の無線通信処理部１０３は、無線ＬＡＮ通信システムを用いて、通信装置２０、通信装置２３及び基地局装置１と通信することができる。制御装置１１の第２の無線通信処理部１１３は、ＬＴＥ−Ａ通信システムを用いて、通信装置２１、通信装置２３及び基地局装置１と通信することができる。制御装置１１の第３の無線通信処理部１２３は、ＢＴ通信システムを用いて、通信装置２２、通信装置２３及び基地局装置１と通信することができる。制御装置１１の無線リソース管理部１３０は、通信装置２０〜通信装置２３の周波数リソース及び時間リソースを制御する。さらに、制御装置１１の無線リソース管理部１３０は、自装置と基地局装置１との間における周波数リソース及び時間リソースを制御する。なお、制御装置１１は、基地局装置と通信装置の各々の接続に対応して、複数の第１の無線通信処理部１０３、第２の無線通信処理部１１３、第３の無線通信処理部１２３を備えることができる。
【００８５】
制御装置１１は、基地局装置１との通信に用いた無線通信システムを考慮して、通信装置２３との接続に用いる無線通信システムを選択することができる。通信装置２３との接続に用いる無線通信システムを選択において、制御装置１１は、基地局装置１との通信に用いた無線通信システムと同じ無線通信システムを選択してもよい。制御装置１１は、基地局装置との通信に用いた無線通信システムの使用帯域幅、データレート等を考慮して、通信装置２３との接続に用いる無線通信システムを選択することができる。通信装置２３との接続に用いる無線通信システムを選択において、制御装置１１は、基地局装置１との通信に用いた無線通信システムと異なる無線通信システムを選択してもよい。
【００８６】
無線リソース管理部１３０は、通信装置２３宛のＩＰパケット数（データ量）、通信装置２３宛に使用可能な無線通信システムの無線パラメータ（周波数帯域幅、ＭＣＳ、空間多重数など）により、無線通信システムを選択することができる。無線リソース管理部１３０は、通信装置２０〜通信装置２３との接続に用いる無線通信システムによって、必要な媒体予約期間を設定する。
【００８７】
図９は、本実施形態に係る制御装置が基地局装置及び通信装置の周波数リソース及び時間リソースを制御するシーケンス例である。制御装置１１は、基地局装置１と接続する無線通信イステムを選択し（Ｓ１０１）、その無線通信システムを用いて基地局装置１との接続を確立する（Ｓ１０２）。制御装置１１は、Ｓ１０２の前において基地局装置１とスリープモードにあり、Ｓ１０２において接続モードにしてもよい（以下のＳ１０６、Ｓ２０１、Ｓ２０４においても同様）。制御装置１１は、基地局装置１から、選択した無線通信システムを用いて、通信装置２０〜２３宛のデータを取得する（Ｓ１０３）。
【００８８】
制御装置１１は、Ｓ１０３で取得したデータに要求される通信品質及び各無線通信システムの通信品質等を考慮して、通信装置２０〜通信装置２３と接続する無線通信システムを判断する（Ｓ１０４）。さらに、制御装置１１は、Ｓ１０３で取得したデータに要求される通信品質及び各無線通信システムの通信品質等を考慮して、該データの送信順、媒体予約期間の設定を行う（Ｓ１０５）。制御装置１１は、選択した無線通信システムを用いて、通信装置２０〜通信装置２３と接続を確立し（Ｓ１０６）、データ送信を行う（Ｓ１０７）。
【００８９】
図１０は、本実施形態に係る制御装置が基地局装置及び通信装置の周波数リソース及び時間リソースを制御するシーケンスの別例である。通信装置２０〜２３は、制御装置１１とデータの送信／受信を行う為に、自装置が搭載した無線通信システムを用いて、接続を確立する（Ｓ２０１）。複数の無線通信システムを搭載する通信装置２３は、送信／受信を行うデータに要求される通信品質、そのデータが属するアプリケーション等によって、制御装置１１と接続確立に用いる無線通信システムを選択する。
【００９０】
制御装置１１は、ＲＴＳ／ＣＴＳによる媒体予約予測から、該媒体予約期間において送信可能データ量を算出する（Ｓ２０２）。制御装置１１は、通信装置２０〜通信装置２３の接続確立に用いた無線通信システムの無線パラメータ、ＲＴＳ／ＣＴＳの送信周波数帯域並びに送信周波数帯域幅及び設定可能な媒体予約期間（Ｄｕｒａｔｉｏｎフィールドの設定）等から、媒体予約予測を行うことができる。制御装置１１は、算出した送信可能データ量とＲＴＳ／ＣＴＳの送信タイミングから、基地局装置１と接続するために用いる無線通信システムを選択する（Ｓ２０３）。制御装置１１は、基地局装置１とデータの送信／受信を行う為に、Ｓ２０３で選択した無線通信システムを用いて、接続を確立する（Ｓ２０４）。
【００９１】
制御装置１１は、Ｓ２０４で接続を確立した無線通信システムを用いて、通信装置２０〜２３に送信するデータを、基地局装置１１から受信する（Ｓ２０５）。Ｓ２０５において、制御装置１１は、選択した無線通信システムによって、媒体予約処理を行うことができる。制御装置１１は、Ｓ１０５で取得した通信装置２０〜２３宛のデータ容量、要求される通信品質等によって、媒体予約期間におけるデータ送信順の設定及び媒体予約処理（ＲＴＳ／ＣＴＳの送信）を行う（Ｓ２０６）。制御装置１１は、媒体予約完了後、通信装置２０〜通信装置２３にデータを送信する（Ｓ２０７）。本実施形態に係る制御装置、通信装置は、図９において、図３、図６、図７に示す媒体予約処理を適用することができる。
【００９２】
以上のように、制御装置１０−１は、無線ＬＡＮによる媒体予約期間を考慮して、基地局装置との接続に用いる周波数リソース／無線リソース及び通信装置２０〜通信装置２３との接続に用いる周波数リソース／無線リソースを管理する。これにより、同一周波数帯を用いる複数の無線通信システムから構成される通信ネットワークにおいて、そのネットワーク全体において、相互の干渉を回避しつつ、最適なリソース管理が可能となる。
【００９３】
なお、本発明に係る通信装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００９４】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における通信装置の一部、または全部を典型的には集積回路であるＬＳＩとして実現してもよい。通信装置の各機能ブロックは個別にチップ化してもよいし、一部、または全部を集積してチップ化してもよい。各機能ブロックを集積回路化した場合に、それらを制御する集積回路制御部が付加される。
【００９５】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００９６】
なお、本願発明は上述の実施形態に限定されるものではない。本願発明の通信装置は、移動端末への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【００９７】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【００９８】
本発明は、通信装置および通信方法に用いて好適である。
【符号の説明】
【００９９】
１、基地局装置
１０−１、１０−２、１１−１、１１−２  制御装置
２０−１  無線ＬＡＮを搭載する通信装置
２１−１  ＬＴＥ−Ａを搭載する通信装置
２２−１、２２−２、２２−３  ＢＴを搭載した通信装置
２３−１  複数の無線通信システムの機能を搭載した通信装置
１０−１ａ、１０−２ａ  無線ＬＡＮの通信エリア
１００、１１０、１２０、２００、２１０、２２０  アンテナ部
１０１、２０１  第１の送受信部
１０２、２０２  第１の上位層処理部
１０３  第１の無線通信処理部
１１１、２１１  第２の送受信部
１１２、２１２  第２の上位層処理部
１１３  第２の無線通信処理部
１２１、２２１  第３の送受信部
１２２、２２２  第３の上位層処理部
１２３  第３の無線通信処理部
１３０  無線リソース管理部
１０−１ａ、１０−２ａ  無線ＬＡＮの通信機能を用いて、接続可能な範囲
【図１】
2019083357.tif 000003
【図２】
2019083357.tif 000004
【図３】
2019083357.tif 000005
【図４】
2019083357.tif 000006
【図５】
2019083357.tif 000007
【図６】
2019083357.tif 000008
【図７】
2019083357.tif 000009
【図８】
2019083357.tif 000010
【図９】
2019083357.tif 000011
【図１０】
2019083357.tif 000012